(57)【要約】【課題】前面から見たときの大きさを小型化できる新規構成の照明装置を提供することを目的とする。【解決手段】照明側装置は、器具本体３と、器具本体３の前面に配され且つ照射機能を有する主機能部５と、器具本体３の前面に配され且つ照射機能に関する情報を入手等する機能を有する副機能部８とを備え、主機能部５と副機能部８とは、同一の仮想環状領域に配され、主機能部５は、仮想環状領域に配された複数の半導体発光素子と、仮想環状線に沿って延伸し且つ両端が塞がった半割り筒状をすると共に前記複数の半導体発光素子を覆うレンズ６９とを備え、レンズ６９における端部は、当該端部に対応して仮想環状領域の端に位置する半導体発光素子から発せられた光を副機能部８側へと屈折させる光屈折部分を有する。【選択図】図３
2014146560.tif 000002
【特許請求の範囲】
【請求項１】
器具本体と、
前記器具本体の前面に配され且つ照射機能を有する主機能部と、
前記器具本体の前面に配され且つ前記照射機能に関する情報を入力する機能及び前記情報を出力する機能の少なくとも一方の機能を有する副機能部と
を備え、
前記主機能部と前記副機能部とは仮想環状領域に配され、
前記主機能部は、前記仮想環状領域内の仮想環状線上に配された複数の半導体発光素子と、前記仮想環状線に沿って延伸し且つ両端が塞がった半割り筒状をすると共に前記複数の半導体発光素子を覆うレンズとを備え、
前記レンズにおける端部は、当該端部に対応して前記仮想環状線上の端に位置する半導体発光素子から発せられた光を前記副機能部側へと屈折させる光屈折部分を有する
ことを特徴とする照明装置。
【請求項２】
前記レンズの端部は、中央部から前記仮想環状線の延伸する方向の外方へと張り出す半ドーム状をし、
前記中央部と前記端部との境界での横断面において、前記器具本体の前面と直交し且つ前記仮想環状線と交差する仮想線を基準軸とし、
前記端部における前記基準軸を含む仮想面での断面において、前記器具本体の前面と平行な仮想線を水平線とし、前記基準軸を垂直線とし、前記水平線と前記垂直線との交点を原点とすると、
前記光屈折部分は、前記基準軸と前記副機能部との間の少なくとも一部の領域に存在し、
当該光屈折部分は、前記仮想面での断面において前記水平線上の第１の点と前記垂直線上の点であって前記第１の点よりも前記原点から離れた第２の点とを直線的又は楕円孤的に結ぶ仮想線の少なくとも一部を有する形状を内面形状として一部有する内面と、前記仮想面での断面において前記水平線上の第３の点と前記垂直線上の点であって前記第３の点よりも前記原点に近い第４の点とを直線的又は楕円孤的に結ぶ仮想線の少なくとも一部を有する形状を外面形状とする外面との少なく一方の面を有している
ことを特徴とする請求項１に記載の照明装置。
【請求項３】
前記光屈折部分は、前記内面と前記外面との両方の面を有している
ことを特徴とする請求項２に記載の照明装置。
【請求項４】
前記端部における前記仮想環状線よりも内側に位置する内側部分は、前記基準軸を含むすべての断面において、前記光屈曲部分における前記仮想面での断面と同じ形状をしている
ことを特徴とする請求項３に記載の照明装置。
【請求項５】
前記第１の点と前記第２の点とを結ぶ仮想線は、前記垂直線を長軸とし、前記水平線を短軸とする楕円孤である
ことを特徴とする請求項２〜４の何れか１項に記載の照明装置。
【請求項６】
前記第３の点と前記第４の点とを結ぶ仮想線は、前記水平線を長軸とし、前記垂直線を短軸とする楕円孤である
ことを特徴とする請求項２〜５の何れか１項に記載の照明装置。
【請求項７】
前記境界の横断面であって前記垂直線に対して前記仮想環状線の外側に位置する外側部分は、前記垂直線上の前記第２の点を通り且つ前記原点を中心とする仮想円弧の少なくとも一部を有する内面と、前記垂直線上の前記第４の点を通り且つ前記原点を中心とする仮想円弧の少なくとも一部を有する外面とから構成されている
ことを特徴とする請求項２〜６の何れか１項に記載の照明装置。
【請求項８】
前記境界の横断面であって前記垂直線に対して前記仮想環状線の外側に位置する外側部分は、前記垂直線上の前記第２の点を通り且つ前記原点を中心とする仮想円弧の少なくとも一部を有する内面と、前記垂直線上の前記第４の点を通り且つ前記原点を中心とする仮想円弧の少なくとも一部を有する外面とから構成され、
前記レンズの端部の外側部分は、前記基準軸の廻りを前記境界から前記仮想環状線と交差する位置に近づくに従って、前記外側部分の境界の横断面形状から前記光屈折部分における前記仮想面での断面形状に近づく
ことを特徴とする請求項２〜６の何れか１項に記載の照明装置。
【請求項９】
前記レンズの中央部の内側部分の横断面形状は、前記端部の光屈折部分の前記仮想線での断面形状と同じ形状をしている
ことを特徴とする請求項２〜８の何れか１項に記載の照明装置。
【請求項１０】
前記レンズの中央部の外側部分の横断面形状は、前記境界の外側部分の横断面形状と同じ形状をしている
ことを特徴とする請求項７〜９の何れか１項に記載の照明装置。
【請求項１１】
前記レンズは、前方から見るとＣ字状をしている
ことを特徴とする請求項１〜１０の何れか１項に記載の照明装置。
【発明の詳細な説明】
【技術分野】
【０００１】
本発明は、器具本体前面の仮想環状領域に主機能部を有する照明装置に関する。
【背景技術】
【０００２】
ＬＥＤは、長寿命で、小型で発光効率が良く、鮮やかな発光色を有するといった利点を持ち、照明装置等に広く利用されている。このような照明装置の一つとして、例えば、天井に装着される、所謂、シーリングライトがある（例えば、特許文献１）。
特許文献１に記載の照明装置は、中央に貫通口を有する器具本体と、器具本体の前面であって貫通口から少し離れてその周りに配された照射部と、器具本体の前面であって照射部と貫通口との間に配された電気的補助部品（例えば、照射部の照射状態を設定する設定ボタンである。）と、器具本体の前側を覆うように器具本体に装着されたカバーとを備える。ここでの電気的補助部品は、前方を照射する機能を有する照射部と異なり、例えば、照射部の照射状態を設定する等の照射部に関連する情報を入力したり出力したりする機能を有し、以下、副機能部とする。
【０００３】
照射部は、仮想円環状線上を周方向に間隔をおいて配された複数のＬＥＤと、複数のＬＥＤを覆い且つＬＥＤから発せられ光を拡散する拡散部材とを備える。
【先行技術文献】
【特許文献】
【０００４】
【特許文献１】特開２０１２−２０９２３９公報
【発明の概要】
【発明が解決しようとする課題】
【０００５】
しかしながら、上記照明装置では、副機能部が照射部と貫通口との間に設けられているため、装置を前面から見たときの大きさを小型化できないという課題がある。
本発明は、上記した課題に鑑み、装置を前面から見たときの大きさを小型化できる新規構成の照明装置を提供することを目的とする。
【課題を解決するための手段】
【０００６】
上記目的を達成するために、本発明の一態様に係る照明装置は、器具本体と、前記器具本体の前面に配され且つ照射機能を有する主機能部と、前記器具本体の前面に配され且つ前記照射機能に関する情報を入力する機能及び前記情報を出力する機能の少なくとも一方の機能を有する副機能部とを備え、前記主機能部と前記副機能部とは仮想環状領域に配され、前記主機能部は、前記仮想環状領域内の仮想環状線上に配された複数の半導体発光素子と、前記仮想環状線に沿って延伸し且つ両端が塞がった半割り筒状をすると共に前記複数の半導体発光素子を覆うレンズとを備え、前記レンズにおける端部は、当該端部に対応して前記仮想環状線上の端に位置する半導体発光素子から発せられた光を前記副機能部側へと屈折させる光屈折部分を有することを特徴とする。
【０００７】
ここでいう「仮想環状領域」は、主機能部と副機能部の一方を仮想円環線に沿って中心の廻りを周方向に移動させた際に、主機能部と副機能部とが重なる場合であって、主機能部と副機能部とにおける最も内側位置を通る内側仮想環状線と最も外側位置を通る外側仮想環状線とに挟まれた領域をいう。
また、前記レンズの端部は、中央部から前記仮想環状線の延伸する方向の外方へと張り出す半ドーム状をし、前記中央部と前記端部との境界での横断面において、前記器具本体の前面と直交し且つ前記仮想環状線と交差する仮想線を基準軸とし、前記端部における前記基準軸を含む仮想面での断面において、前記器具本体の前面と平行な仮想線を水平線とし、前記基準軸を垂直線とし、前記水平線と前記垂直線との交点を原点とすると、前記光屈折部分は、前記基準軸と前記副機能部との間の少なくとも一部の領域に存在し、当該光屈折部分は、前記仮想面での断面において前記水平線上の第１の点と前記垂直線上の点であって前記第１の点よりも前記原点から離れた第２の点とを直線的又は楕円孤的に結ぶ仮想線の少なくとも一部を有する形状を内面形状として一部有する内面と、前記仮想面での断面において前記水平線上の第３の点と前記垂直線上の点であって前記第３の点よりも前記原点に近い第４の点とを直線的又は楕円孤的に結ぶ仮想線の少なくとも一部を有する形状を外面形状とする外面との少なく一方の面を有していることを特徴とする。
【０００８】
また、前記光屈折部分は、前記内面と前記外面との両方の面を有していることを特徴とする。あるいは、前記端部における前記仮想環状線よりも内側に位置する内側部分は、前記基準軸を含むすべての断面において、前記光屈曲部分における前記仮想面での断面と同じ形状をしていることを特徴とする。
また、前記第１の点と前記第２の点とを結ぶ仮想線は、前記垂直線を長軸とし、前記水平線を短軸とする楕円孤であることを特徴とする。あるいは、前記第３の点と前記第４の点とを結ぶ仮想線は、前記水平線を長軸とし、前記垂直線を短軸とする楕円孤であることを特徴とする。
【０００９】
また、前記境界の横断面であって前記垂直線に対して前記仮想環状線の外側に位置する外側部分は、前記垂直線上の前記第２の点を通り且つ前記原点を中心とする仮想円弧の少なくとも一部を有する内面と、前記垂直線上の前記第４の点を通り且つ前記原点を中心とする仮想円弧の少なくとも一部を有する外面とから構成されていることを特徴とする。あるいは、前記境界の横断面であって前記垂直線に対して前記仮想環状線の外側に位置する外側部分は、前記垂直線上の前記第２の点を通り且つ前記原点を中心とする仮想円弧の少なくとも一部を有する内面と、前記垂直線上の前記第４の点を通り且つ前記原点を中心とする仮想円弧の少なくとも一部を有する外面とから構成され、前記レンズの端部の外側部分は、前記基準軸の廻りを前記境界から前記仮想環状線と交差する位置に近づくに従って、前記外側部分の境界の横断面形状から前記光屈折部分における前記仮想面での断面形状に近づくことを特徴とする。
【００１０】
また、前記レンズの中央部の内側部分の横断面形状は、前記端部の光屈折部分の前記仮想線での断面形状と同じ形状をしていることを特徴とする。あるいは、前記レンズの中央部の外側部分の横断面形状は、前記境界の外側部分の横断面形状と同じ形状をしていることを特徴とする。または、前記レンズは、前方から見るとＣ字状をしていることを特徴とする。
【発明の効果】
【００１１】
本発明の一態様に係る照明装置は、主機能部と副機能部とを仮想環状領域に備えているので、副機能部が主機能部よりも外周側に配される場合よりも、小型化を図ることができる。
【図面の簡単な説明】
【００１２】
【図１】実施形態に係る照明装置の斜視図であり、（ａ）は下方から見た図、（ｂ）は上方から見た図
【図２】照明装置を上に向けた状態の左半分の断面図
【図３】カバーを外し、前面を上に向けた状態の斜視図
【図４】図３の状態から外側光学部材と内側光学部材等を外した状態の斜視図
【図５】器具本体から照射部を取り除いて、器具本体の前面を上に向けた状態の斜視図
【図６】図３における中央部を拡大した図
【図７】図２のＡ部を拡大した図
【図８】内側光学部材を半分で切断し、後面を上に向けた斜視図
【図９】外側照射部の拡大図
【図１０】図９のＢ部を拡大した図
【図１１】図９のＣ部を拡大した図
【図１２】カバーの斜視図であり、（ａ）は前面を上方に向けた状態を上方から見た斜視図、（ｂ）は後面を上方に向けた状態を上方から見た斜視図
【図１３】外側照射部及び内側照射部を照射させた状態の模式図
【図１４】図１３におけるＸ１−Ｘ１線断面を矢印方向から見た模式図
【図１５】中央部での光出射状態を示す図
【図１６】ＳＭＤから同じ方向に出射された光の光路を説明する図
【図１７】レンズの断面形状を説明する図
【図１８】端部での光出射状態を示す図
【図１９】変形例１に係る内側照射部周辺の平面図
【図２０】変形例２に係る内側照射部周辺の平面図
【図２１】変形例３〜５に係るレンズの内側部分の横断面図
【図２２】光屈折部分の形成領域を説明する図
【発明を実施するための形態】
【００１３】
＜実施形態＞
以下、本発明の一態様に係る照明装置について、図面を参照しながら説明する。なお、各図面における部材の縮尺は実際のものとは異なる箇所もある。
照明装置１は、天井に着脱自在に装着できる、所謂シーリングライトである。照明装置１を床の方から見た場合、見える側を照明装置１の前側とし、見えない側を照明装置１の後側とする。また、照明装置１において上下方向又は前後方向は、天井における照明装置１が装着されている面に直交する方向をいい、「下」又は「前」は床のある側を指し、「上」又は「後」は天井のある側を指す。
【００１４】
また、照明装置１を前後方向からみたときの照明装置１の中心を通り、前後方向に延伸する仮想軸を中心軸とし、単に中心軸と称する場合は、照明装置１の中心軸を指すものとする。
１．全体構成
図１は実施形態に係る照明装置１の斜視図であり、（ａ）は下方から見た図であり、（ｂ）は上方から見た図である。図２は、照明装置１を上に向けた状態の左半分の断面図である。
【００１５】
照明装置１は、主な構成として、図１及び図２に示すように、皿状の器具本体３と、器具本体３の前面に設けられた２つの照射部５，７と、２つの照射部５，７を覆うように器具本体３の前側に装着されたカバー９と、器具本体３の後面に設けられた点灯回路ユニット（図示省略）と、点灯回路ユニットを覆うように器具本体３の後側に装着された上カバー１１とを備える。
【００１６】
照明装置１は、図示していない天井の引掛シーリングに対してアダプタ１３を介して着脱自在に装着される。アダプタ１３は、図２に示すように、器具本体３の中央の貫通口１５の後側の上カバー１１に装着されている。なお、点灯回路ユニットは、アダプタ１３を介して受電した商用電力を利用して２つの照射部５，７を点灯させる。
カバー９は、上カバー１１との関係では、「下カバー」とも言えるが、照明装置１が下方を照射する機能を主機能とする装置であるため、上下位置関係を表す「下」を省略している。また、上カバー１１は、天井に装着されるシーリングライトにおいて、照明装置１として上下の概念があるため、上カバーとしているが、例えば、器具本体３の表裏を基準にすると、上カバーは裏カバーとも言え、（下）カバーは表カバーとも言える。
２．前側構造
図３はカバー９を外し、前面を上に向けた状態の斜視図であり、図４は図３の状態から外側光学部材２５と内側光学部材１９等を外した状態の斜視図である。
【００１７】
器具本体３は、前後方向に中心軸を有する貫通口１５を中央に有する板状をしている。貫通口１５は、装置（器具本体３）を引掛けシーリングに装着する際に、自装置の位置合わせ等に利用される。貫通口１５の中心軸は、照明装置１の中心軸と一致する。
２つの照射部５，７は、図３に示すように、器具本体３の前面であって貫通口１５の周りに配された環状の内側照射部５と、内側照射部５の外側に配された環状の外側照射部７である。
【００１８】
内側照射部５は、前方から見たときに照射する部分が「Ｃ」字状をし、「Ｃ」の開口した部分に、照射機能に関する情報を入力する機能又は出力する機能の少なくとも一方の機能を有する副機能部８が設けられている。内側照射部が本発明に係る「主機能部」に相当する。
内側照射部５と副機能部８とは、例えば、内側照射部５を副機能部８に対して、仮想円環線に沿って仮想環状線の中心の廻りを周方向に移動させた際に、互いに重なる位置関係にある。また、内側照射部５における最も内側位置を通る内側仮想環状線と副機能部８における最も内側位置を通る内側仮想環状線とは一致する。内側照射部５における最も外側位置を通る外側仮想環状線と副機能部８における最も外側位置を通る外側仮想環状線とは一致する。したがって、ここでは仮想線環状領域は、内側照射部５及び副機能部８の内側仮想環状線と外側仮想環状線とに挟まれた領域である。
【００１９】
内側照射部５は、図４に示すように複数のＬＥＤが仮想円環状線上であって一部を除いた範囲に配されてなる内側照射モジュール１７と、図３に示すように内側照射モジュール１７を覆う環状の内側光学部材１９とを含む。外側照射部７は、図４に示すように複数のＬＥＤが環状に配されてなる外側照射モジュール２３と、図３に示すように外側照射モジュール２３を覆い且つ内側照射部５と貫通口１５に対応した開口を中央に有する外側光学部材２５とを含む。
【００２０】
内側機能部８は、ここでは、遠隔操作用のリモコンからオン・オフの信号を受信（入手）する受信部と、初期設定を変更するための情報が入力する設定ボタン等を含む。
器具本体３の外周縁周辺には、カバー９を装着するための２種類の装着部材２７，２９が取り付けられている。器具本体３の外周縁には、図２に示すように、器具本体３の外周縁から斜め上方（図２では上方であるが、天井に装着された状態では前方である。）に延伸する傘部材３１が取り付けられている。
【００２１】
以下、各構成について説明する。
（１）器具本体
図５は、器具本体３から照射部５，７を取り除いて、その前面を上に向けた状態の斜視図である。
器具本体３は、図５に示すように、円板状をしている。器具本体３は、内側照射部５を装着するための内側照射部装着領域４１と、外側照射部７を装着するための外側照射部装着領域４３と、カバー９用の装着部材２７，２９を装着するためのカバー装着領域４５とを前面に有する。
【００２２】
また、器具本体３は、中央の貫通口１５や貫通口１５の近くの貫通窓１６を有する第１平坦部４７と、第１平坦部４７の外周側に配された環状の第２平坦部４９と、第２平坦部４９の外周側に配された環状の第３平坦部５１とを備える。ここでは、第１平坦部４７、第２平坦部４９、第３平坦部５１の順で段差状に後退している（第３平坦部５１を基準にすると、第１平坦部４７がもっとも高い位置にある。）。
【００２３】
第１平坦部４７の貫通口１５は引掛けシーリングと嵌合するためのものである。貫通窓１６は、副機能部８を後側から前側へと張り出させるためのものである。なお、貫通口１５は円形状をし、貫通窓１６は、貫通口１５の外側であって円弧状をしている。
器具本体３の前面を平面視すると各平坦部４７，４９，５１は円環状をし、その径方向の寸法である幅は、第１平坦部４７が最も長く、第２平坦部４９と第３平坦部５１とが同じぐらいになっている。
【００２４】
ここで、内側照射部装着領域４１は、第１平坦部４７の内周側に存在し、外側照射部装着領域４３は、第１平坦部４７の外周側と第２平坦部４９とに跨って存在している。また、カバー装着領域４５は、第３平坦部５１に存在している。
器具本体３における第３平坦部５１の外周部５５は、図２及び図５に示すように、前側に折り返され、その先端部５５ａは丸められている。なお、先端部５５ａを丸めることにより、カバー９を器具本体３に装着する際に、人の指が先端部５５ａに接触して、怪我するようなことを失くすことができる。
【００２５】
器具本体３には、上記の外側・内側照射部５，７、装着部材２７，２９、傘部材３１等を装着するための貫通孔やネジ孔が設けられている。
（２）内側照射部
図６は、図３における中央部を拡大した図である。図７は、図２のＡ部を拡大した図である。
【００２６】
内側照射部５は、図４及び図７に示すように、器具本体３の前面に載置された内側照射モジュール１７と、内側照射モジュール１７を押圧するように器具本体３に固定された内側光学部材１９とを備える。内側光学部材１９は、内側照射部５から所定方向に向けて光が出射するように、内側照射モジュール１７から発せられた光の軌道を変更する。
（２−１）内側照射モジュール
内側照射モジュール１７は、図４及び図７に示すように、基板６１と、基板６１に実装されたＬＥＤとを備える。基板６１は、図４に示すように、全体形状として円環状の一部が切り欠かれたような形状をしている。切り欠かれた部分の角度は、９０［°］以下である。基板６１は、換言すると、前方から見るとＣ字状をしている。
【００２７】
基板６１は、１個又は複数の絶縁板から構成される。ここでは、１つの絶縁板から構成され、その前面にＬＥＤと電気的に接続される配線パターンが形成されている。
ここでは、複数のＬＥＤ素子が実装され、実装された全てのＬＥＤ素子をまとめて封止材料で封止してなる、所謂、ＳＭＤ（Ｓｕｒｆａｃｅ  Ｍｏｕｎｔ  Ｄｅｖｉｃｅ）６３が用いられている。ＳＭＤ６３は、ＳＭＤ６３を構成するＬＥＤの主出射方向を中心軸と平行となるように、基板６１に実装されている。
【００２８】
ＳＭＤ６３は、複数あり、中心軸を中心とする仮想円周線上を周方向に間隔をおいて実装されている。なお、ここでの間隔は等間隔である。また、仮想円周線は、図７に示すように、横断面において、基板６１の半径方向の略中央にある。つまり、仮想円周線は、基板６１の内周と外周との真ん中に位置している。
封止材料は、例えば、樹脂材料からなる。ＬＥＤから発せられた波長を変換する必要がある場合は、蛍光体粒子等の波長変換部材が樹脂材料に混入されている。
（２−２）内側光学部材
図８は、内側光学部材１９を半分で切断し、後面を上に向けた斜視図である。
【００２９】
内側光学部材１９は、図３に示すように、環状、ここでは、円環状をしている。内側光学部材１９は、平坦部６８とレンズ６９とを有する。
平坦部６８は、図８に示すように、仮想円環状線上の一部の領域に貫通窓７０を有している。貫通窓７０は、副機能部８を前側に露出させるためのものである。貫通窓７０は、仮想円環状線に沿った長方形状に近い形をしている。
【００３０】
レンズ６９は、内側照射モジュール１７から出射された光に対して光学処理を行う。レンズ６９は、図７に示すように、内側光学部材１９の横断面において、平坦部６８の径方向（図７では左右方向である。）の略中央部分の隆起した部分で構成される。ＳＭＤ６３を基板６１に実装する際の基準となる仮想円環状線は、内側光学部材１９の横断面において、径方向の略中央に位置し、この部分でレンズ６９の隆起量が最も大きくなる。
【００３１】
レンズ６９は、図６に示すように、ＳＭＤ６３を実装する際の基準となる仮想円環状線上の一部の領域（つまり、貫通窓７０が存在する領域及びその周辺領域である。）を除いて、仮想円環状線に沿って設けられている。換言すると、レンズ６９は、前方から見た場合、「Ｃ」字状をし、この「Ｃ」字の開放部分に貫通窓７０が存在している。
レンズ６９は、図６及び図７に示すように、前方から見ると隆起しているが、後方から見た場合、図８に示すように、凹入している。隆起した部分及び凹入した部分は、視点の違いによる表現の違いであって、両方とも同じものを指している。
【００３２】
内側光学部材１９は、内側照射モジュール１７に実装されたすべてのＳＭＤ６３をレンズ６９が覆う状態で、器具本体３に装着される。これにより、レンズ６９の内部にＳＭＤ６３が収容され、ＳＭＤ６３からの光の一部を屈曲（屈折）させている。
レンズ６９は、前方から見たときに、仮想円環状線よりも内側に位置する部分であって仮想円環状線に沿う中間部分はＳＭＤ６３からの光を器具本体３の貫通口１５側に屈折させ、仮想円環状線に沿う方向である仮想円環方向の両端部分（レンズ６９の両端部である。）は、ＳＭＤ６３からの光を副機能部８側へと屈折させる。
【００３３】
内側光学部材１９は、図７及び図８に示すように、後面に凹入部７５を有している。凹入部７５の幅は、図７に示すように、内側照射モジュール１７の基板６１の幅に対応し、深さは基板６１の厚みより浅い。
これにより、内側光学部材１９が器具本体３に固定される際には、凹入部７５内に内側照射モジュール１７が配される。そして、内側光学部材１９が器具本体３に固定されると、内側照射モジュール１７が内側光学部材１９により押圧され、その移動が規制される。なお、凹入部７５の幅は、内側光学部材１９の径方向（図７における左右方向である。）の寸法であり、内側光学部材１９や内側照射モジュール１７の横断面において左右方向の寸法である。
【００３４】
内側光学部材１９は、所定の固定方法により固定される。ここでの固定方法は螺合方法である。つまり、内側光学部材１９は、図６及び図８に示すように、レンズ６９よりも内側に存する内側部分７７と、レンズ６９よりも外側に存する外側部分７９とに、厚み方向に貫通する貫通孔８１を有する。貫通孔８１を挿通する固定ネジ８３が器具本体３のネジ孔８５に螺合する（図５及び図６参照）。
【００３５】
内側光学部材１９は、図６及び図８に示すように、内部が中空の膨出部分８７を有し、この膨出部分８７に接続コネクタ６７が収容される。接続コネクタ６７は、内側照射モジュール１７と点灯回路ユニットとを電気的に接続するためのものである。
内側光学部材１９は、内側照射モジュール１７が大気に晒されるのを防止するための密閉構造を有している。具体的には、図７に示すように、リングパッキン８８を利用し、リングパッキン８８用のパッキン溝７６ａ，７６ｂが内側光学部材１９における凹入部７５の内側・外側の２ヶ所に設けられている。
（３）外側照射部
図９は外側照射部７の拡大図であり、図１０は図９のＢ部を拡大した図であり、図１１は図９のＣ部を拡大した図である。
【００３６】
外側照射部７は、図４及び図９に示すように、器具本体３の前面に配された外側照射モジュール２３と、外側照射モジュール２３の外側位置から内側照射部５の近傍位置に跨るように配された外側光学部材２５とを備える。外側光学部材２５は、内側照射部５から光が発せられない領域及び内側照射部５から発せられている光が弱い（光束が少ない）領域をカバーするように、外側照射モジュール２３から発せられた光の軌道を変更する。
【００３７】
外側光学部材２５は、図３及び図９に示すように、その外周縁は外側押さえ部材９３により、内周縁は内側押さえ部材９５によりそれぞれ器具本体３側に押圧されることで、器具本体３に装着される。
（３−１）外側照射モジュール
外側照射モジュール２３は、図４に示すように、基板９７と、基板９７に実装されたＬＥＤとを備える。ここでは、外側照射モジュール２３は、複数個（４個である。）ある。これらすべての外側照射モジュール２３が器具本体３上に配されると、全体形状として円環状を形成する。
【００３８】
基板９７は、１個の絶縁板と、絶縁板の前面形成された配線パターン（図示省略）とを備える。なお、各基板９７は環状の一部（４分の１である。）を構成している。このため、各基板９７について周方向及び径方向を用いて説明するときは、この方向は、４つの基板９７が配されて形成される環状における周方向及び径方向と同じ方向である。
ここでは、ＬＥＤとして、ＳＭＤ９９が用いられている。ＳＭＤ９９は、ＳＭＤ９９を構成するＬＥＤの主出射方向を中心軸と平行となるように、基板９７に実装されている。
【００３９】
ＳＭＤ９９は、複数あり、４つの基板９７を用いて環状を形成したときに、各基板９７上に存する仮想円周線（図示省略）上を周方向に間隔をおいて実装されている。なお、ここでの間隔は等間隔である。また、仮想円周線は、基板９７の半径方向の中央より外側に位置している（図４参照）。
封止材料は、例えば、樹脂材料からなる。ＬＥＤから発せられた波長を変換する必要がある場合は、蛍光体粒子等の波長変換部材が樹脂材料に混入されている。
【００４０】
各基板９７には、図４に示すように、環状に配された際に、周方向に隣接する基板９７同士を連結する連結コネクタ１０１，１０３が設けられている。なお、隣接する基板９７の連結コネクタ１０１，１０３を結ぶ配線の図示は省略している。
（３−２）外側光学部材
外側光学部材２５は、外側照射モジュール２３から出射された光を入射面から入射させ、内側照射部５の近傍まで導光させつつ前方へと出射させる。ここでは、器具本体３の中央に内側照射部５や貫通口１５が存している。このため、外側光学部材２５も図３等に示すように円環状をしている。なお、外側光学部材２５は、中央に厚み方向に貫通する貫通孔１１０（図１１参照）を有する円盤状をしているとも言える。
【００４１】
外側光学部材２５は、図９に示すように、第１平坦部４７に沿って平行に延伸する第１円環板部１１１と、第２平坦部４９に沿って平行に延伸する第２円環板部１１３と、第１円環板部１１１と第２円環板部１１３とを連結する連結板部１１５とを有する。ここでは、第１円環板部１１１、第２円環板部１１３及び連結板部１１５の厚みは略同じである。
第１円環板部１１１は、第１平坦部４７であって内側照射部５の外側位置から、外側照射モジュール２３の基板９７の内周縁の近傍位置までの領域に跨っている。第２円環板部１１３は、第２平坦部４９であって外側照射モジュール２３のＳＭＤ９９よりも内側の位置から、第２平坦部４９の外周縁の近傍位置までの領域に跨っている。
【００４２】
第２平坦部４９は、第１平坦部４７に対して低くなっている（後退している）。このため、連結板部１１５は、図１０に示すように、横断面において、第１円環板部１１１の外周端から、第２円環板部１１３の内周端にかけて円弧状に湾曲している。
外側光学部材２５が器具本体３に装着された状態では、図１０に示すように、第１円環板部１１１と器具本体３の第２平坦部４９との間に空間１２５が形成される。この空間１２５には、基板９７同士を連結する連結コネクタ１０１，１０３が収容される。
【００４３】
外側光学部材２５は、図１０に示すように、外側照射モジュール２３からの光が入射する入射部１１７と、入射した光を導光させる導光部１１９と、導光してきた光を出射する出射部１２１とを有する、所謂、導光板である。
ここでは、ＳＭＤ９９は光の指向性が強いため、入射部１１７は、少なくとも、ＳＭＤ９９の上面と対向する部分及び当該部分周辺を含む部分となる。
【００４４】
導光部１１９は、外側光学部材２５の内部に相当する。つまり、入射部１１７から入射した光は、図１０に示すように、後面２５ａと前面２５ｂとの間を反射しながら、外側光学部材２５の内部を伝搬する。出射部１２１は、ここでは外側光学部材２５の前面２５ｂが相当する。
外側光学部材２５は、上記の導光板として機能するために、入射部１１７を除く後面２５ａが反射機能を有し、前面２５ｂが拡散機能を有している。なお、ここでの拡散機能は、前面２５ｂを凹凸にすることで実施できる。
【００４５】
これにより、入射部１１７から入射した光が、後面２５ａで前面２５ｂ側へと反射され、前面２５ｂで一部の光が前方へと出射し、残りの光が後面２５ａ側へと反射される。これを繰り返すことで、導光部１１９内の光が所望の位置まで伝播しながら前方へと出射される。
外側光学部材２５は、図１０に示すように、器具本体３への装着用の装着部１２７を有している。装着部１２７は、外側照射モジュール２３の外周縁に近い位置に形成されている。ここでは、外側照射部７の外側部分（少なくとも外側照射モジュール２３よりも外周側である。）に形成された貫通孔１２７ａで構成されている。
【００４６】
外側光学部材２５は、外側照射モジュール２３が大気に晒されるのを防止するための密閉構造を有している。具体的には、図９から図１１に示すように、リングパッキン１２６を利用し、リングパッキン１２６用のパッキン溝１２８ａ，１２８ｂが外側光学部材１２３における外周縁に近い部分と内周縁に近い部分との２ヶ所に設けられている。
（３−３）外側押さえ部材
外側押さえ部材９３は、図９に示すように、外側光学部材２５の外周部分を押さえた状態で、器具本体３に固定される。外側押さえ部材９３は、図１０に示すように、横断面形状が外側光学部材２５の外周部分の前面と同じような形状をし、全体形状として、図３に示すように、円環状をしている。このため、外側押さえ部材９３を外側光学部材２５の外周部分に載置すると、外側押さえ部材９３の後面と、外側光学部材２５の前面２５ｂとが広い範囲で当接する。
【００４７】
外側押さえ部材９３の外周部分には、外側光学部材２５の装着部１２７に対応して、固定部１２９が形成されている。ここでは、外側光学部材２５の装着部１２７及び外側押さえ部材９３の固定部１２９には貫通孔１２７ａ，１２９ａが形成されている。この貫通孔１２７ａ，１２９ａと器具本体３の貫通孔１３３を挿通するネジ部材１３１が上カバー１１のネジ穴１３４に螺合する。これにより、外側光学部材２５の外周部分と外側押さえ部材９３とが器具本体３（上カバー１１）に固定される。
【００４８】
外側押さえ部材９３が当接する外側光学部材２５の外周部分２５ｃは、第２円環板部１１３と連結板部１１５と第１円環板部１１１の外周側である。外側光学部材２５の外周部分２５ｃは、外側照射部７のＳＭＤ９９の上方部分と当該上方部分の周辺部とを含む部分であり、ＳＭＤ９９から中心軸に平行に発せられた光及び中心軸に対して少し傾斜した方向に発せられた光は、外側光学部材２５をそのまま通り貫けて、前方へと出射する傾向にある。
【００４９】
外側押さえ部材９３は、ＳＭＤ９９から前方に出射されて外側光学部材２５を通り貫けて外側押さえ部材９３に入射する光の進行方向を変更させる機能を有する。この機能は、拡散機能であり、例えば、外側押さえ部材９３の前面や後面の少なくとも一方の面に拡散処理（凹凸処理）を施したり、外側押さえ部材９３の内部に拡散材料を混入したりすることで実施できる。
（３−４）内側押さえ部材
内側押さえ部材９５は、図１１に示すように、外側光学部材２５の内周端部の前面をカバー９側から押さえた状態で、器具本体３に固定される。内側押さえ部材９５は、ここでは、環状、具体的には円環状をしている。
【００５０】
内側押さえ部材９５は、横断面形状が、外側光学部材２５の内周端部と同じような形状をしている。ここでは、外側光学部材２５の内周端部は、図１１に示すように、前面が器具本体３の第１平坦部４７（外側照射部装着領域４３でもある。）と平行となっており、内周面が器具本体３の第１平坦部４７と垂直になっている。
内側押さえ部材９５は、器具本体３の第１平坦部４７に対して立設する立設壁９５ａと、立設壁９５ａの前端から外側光学部材２５の内周端部の前面へと張り出す前壁９５ｂとを全周に亘って備える。つまり、内側押さえ部材９５の横断面形状（断面が周方向と直交し、図１１に示す状態である。）は、「Ｌ」字を逆にしたような形状をしている。
【００５１】
このため、内側押さえ部材９５を外側光学部材２５の内周端部に載置すると、内側押さえ部材９５の前壁９５ｂと外側光学部材２５の内周端部の前面２５ｄとが当接し、内側押さえ部材９５の立設壁９５ａの外周面９５ｃと外側光学部材２５の内周面２５ｅとが対向する。
内側押さえ部材９５の内周部分には、図６及び図１１に示すように、固定部１３７が形成されている。ここでの固定部１３７は貫通孔１３７ａを有する。この貫通孔１３７ａを挿通するネジ部材１３９が器具本体３のネジ穴１４１に螺合する。これにより、外側光学部材２５の内周端部を押さえる内側押さえ部材９５が器具本体３に固定される。
（４）副機能部
副機能部８は、図３及び図４に示すように、Ｃ字状をした内側照射モジュール１７の端部間に配されている。つまり、内側照射モジュール１７のＳＭＤ６３を実装する際に基準となっている仮想円環状線上であって内側照射モジュール１７が配されていない領域（上記の一部の領域である。）に副機能部８が設けられている。
【００５２】
副機能部８は、主機能部である内側照射部５の照射（外側照射部７の照射も含む。）に関連する機能を有している。ここでは、副機能部８は、照明装置１の点灯・消灯等を遠隔するリモコンを利用して点灯・消灯等の照射機能に関する信号（情報）を入力する入力部６５や、内側照射部５や外側照射部７の点灯状態をリセットしたり、設定の変更をしたりするための入力ボタン６６を有する。
【００５３】
なお、ここでは、照射機能に関する情報を出力する機能を有する副機能部を設けてもよい。例えば、照明機能の設定を変更した場合、その変更が操作者に分かるように、設定内容（情報）を表示（つまり、出力）してもよい。
入力部６５や入力ボタン６６は図外の副機能部用基板に実装されており、受信部６５等が器具本体３の貫通窓１６に位置する状態で当該副機能部用基板が器具本体３の後面に取着されている。
（５）装着部材
装着部材は、図３及び図４に示すように、カバー９の落下と回転を阻止する第１装着部材２７と、カバー９の落下を阻止する第２装着部材２９との２種類がある。なお、第１装着部材２７及び第２装着部材２９のそれぞれは４個ある。
（５−１）第１装着部材
第１装着部材２７は、図４に示すように、器具本体３の円周方向に沿って延伸するとともに横断面形状が「コ」の字状をする本体部１４５と、本体部１４５の周方向の一方の端部を塞ぐ蓋部１４７とを有する。なお、本体部１４５の後辺が器具本体３に当接して装着される。
【００５４】
本体部１４５はカバー９の周縁部の突出部分１７１（図１２の（ｂ）参照）と嵌合し、蓋部１４７は、カバー９が一方向に回転した時に、カバー９の突出部分１７１と当接して、カバー９の回転が規制される。
（５−２）第２装着部材
第２装着部材２９は、図４に示すように、本体部１４９と係止部１５１とを有する。本体部１４９は、器具本体３に装着される。係止部１５１は、本体部１４９の前側から鉤状に延出してなる。器具本体３の前面と係止部１５１の間にカバー９の端部の突出部分１７１が嵌り、カバー９の突出部分１７１が係止部１５１により係止（掛止）される。
（６）傘部材
傘部材３１は、図２及び図３に示すように、器具本体３の外周縁に装着されている。傘部材３１は、図２に示すように、「Ｌ」の字状をしたＬ字状部１５５と、円弧状に湾曲する湾曲部１５７とを有している。なお、傘部材３１は、カバー９への埃が付着するのを防止する機能を有する。
【００５５】
Ｌ字状部１５５は、その一端部が器具本体３の外周端の後面に固定されている。湾曲部１５７は、中心が前側に存するように湾曲し、その一端がＬ字状部１５５の他端につながっている。湾曲部１５７の一端は、図２に示すように、カバー９が器具本体３に装着されている状態では、カバー９の外周縁よりも少し中心軸側に移った位置に存する。これにより、器具本体３の外周部５５が傘部材３１とカバー９とで隠れる。
（７）カバー
図１２は、カバー９の斜視図であり、（ａ）は前面を上方に向けた状態を上方から見た斜視図であり、（ｂ）は後面を上方に向けた状態を上方から見た斜視図である。
【００５６】
なお、図１３で、径方向に延伸している線は、カバーが曲線状であってドーム状をしているため、その湾曲具合が分かるように記載したものである。
カバー９は、図１２に示すように、器具本体３の前側を覆う本体部１６１と、器具本体３に装着するための装着部１６３とを有する。
本体部１６１は、内側照射部５及び貫通口１５に対向する部分に形成された平坦部１６５と、外側照射部７に対向する部分に形成された湾曲部１６７とを有する。
【００５７】
平坦部１６５は中心軸と直交するように形成されている。平坦部１６５は、円形状の円形領域に形成され、前方から見たときに、この領域内に貫通口１５と内側照射部５とが含まれる。換言すると、前方から見たときに、平坦部１６５は、内側照射部５の複数のＳＭＤ６３よりも外側領域まであればよい。
湾曲部１６７は、外側照射部７と対向する部分を含む円環状をした円環領域に形成されている。湾曲部１６７は、平坦部１６５に近接する部分に存する内側湾曲部分１６８と、内側湾曲部分１６８の外周側に存する外側湾曲部分１６９とを有する。
【００５８】
なお、図１の（ａ）及び図１２で示されている円状の線は、形状が変化する部分の境界線であり、例えば、内側湾曲部分１６８と外側湾曲部分１６９との境界を示す線等である。
内側湾曲部分１６８は、カバー９を前方から見たときに、後方へ膨らむように湾曲する。つまり、湾曲部分の円弧の中心が前側にある。外側湾曲部分１６９は、カバー９を前方から見たときに、前方へ膨らむように湾曲する。つまり、湾曲部分の円弧の中心が後側にある。
【００５９】
内側湾曲部分１６８の円弧の曲率半径は、外側湾曲部分１６９の円弧の曲率半径よりも大きい。これにより、側方からカバー９を見ると、その中央部（平坦部１６５と内側湾曲部分１６８である。）が突出するような形状となる。
３．後側構造
器具本体３の後面は、図１の（ｂ）に示すように、上カバー１１が装着されている。上カバー１１は、碗状をし、その開口周縁を器具本体３の後面に当接させている。上カバー１１と器具本体３との間の空間には、点灯回路ユニットが配されている。
【００６０】
上カバー１１の後面には、天井に照明装置１を装着する際に、天井と照明装置１との間の隙間をなくすためのクッション材１７３が取り付けられている。なお、クッション材１７３は、周方向に間隔をおいて４個設けられている。
４．内側光学部材（レンズ）について
内側光学部材１９は、ＳＭＤ６３から発せられた光を屈曲させて、照明装置１として所望の配向特性を得るようにしている。
【００６１】
内側照射部５は円環状に近い形状をし、内側に貫通口１５がある。したがって、内側照射部５の内側に光源となるようなものを設けることは困難であり、内側照射部５の内側の輝度が低くなる傾向にある。このため、レンズ６９は、内側照射モジュール１７から発せられた光の一部を内側照射部５の内側へと出射するように屈折させている。
また、内側照射モジュール１７は、仮想円環状線上であって副機能部８が存在する領域にＳＭＤ６３を有しているため、ＳＭＤ６３の存在しない非照射領域の前方では暗くなる傾向にある。このため、レンズ６９は、副機能部８と隣接する端部から副機能部８上に向けて光を出射するように、ＳＭＤ６３からの光を屈折させる光屈折部分を端部に有している。
【００６２】
以下、レンズ６９の形状及び光出射特性について説明する。
図１３は、レンズの端部周辺を前方から見た図である。
レンズ６９の外周形状及び内周形状は、仮想円環状線１８１上を中央部Ｄ１から端部Ｄ２の端（先端）に移るに従って、幅（図１３において、仮想円環状線１８１と直交する方向の寸法である。）及び高さが徐々に小さくなるような形状をしている。換言すると、レンズ６９の端部Ｄ２は、中央部Ｄ１から離れる方向に張り出す半ドーム状をしている。
【００６３】
レンズ６９の中央部Ｄ１は、内側光学部材１９を前方から見た場合に、その幅が一定な部分を指す。レンズ６９の端部Ｄ２は、内側光学部材１９を前方から見た場合、幅が小さくなり始める位置（図１３におけるＸ２−Ｘ２線であり、中央部と端部との境界である。）から先端までの間を指す。
図１３におけるＸ２−Ｘ２線と仮想円環状線との交点を通り、器具本体３の前面と直交する仮想線が本発明の「基準軸」に相当し、図１３では「Ｏ１」で示す。
（１）中央部の形状
図１４は、図１３におけるＸ１−Ｘ１線断面を矢印方向から見た模式図である。
【００６４】
Ｘ１−Ｘ１線は、レンズ６９の中央部Ｄ１における仮想円環状線１８１と直交する線分である。なお、図１４に示す断面は、中央部Ｄ１と端部Ｄ２との境界における横断面とも同じになる。なお、仮想円環状線１８１は、前方から見ると円環状をしているが、図１４では、垂直線と一致する線分で現わしている。
レンズ６９は、図１３及び図１４に示すように、仮想円環状線１８１を通り且つ器具本体３の前面（内側照射部装着領域４１）と直交する仮想垂直線（図１３では、仮想円環状線と一致する。）に対して、内側（仮想円環状線の円環を構成している中心側である。）に位置する部分を内側部分Ｅ１と、外側に位置する部分を外側部分Ｅ２とを有する。
【００６５】
ここで、レンズ６９における横断面において、器具本体３の前面（４１）と平行な仮想線（仮想水平線である。）を水平線とし、水平線に対して垂直であって仮想円環状線１８１を通る仮想線（仮想垂直線である。）を垂直線とし、水平線と垂直線との交点を原点Ｏとする。
なお、内側部分Ｅ１、外側部分Ｅ２の用語は、レンズ６９の端部Ｄ２においても同様に、仮想円環状線の内側・外側で区別して使用し、水平線、垂直線、原点も同様に、レンズ６９の端部Ｄ２の説明の際に使用する。また、図１４の原点Ｏは、ＳＭＤの発光中心であり、水平線は、ＳＭＤの発光中心を通る仮想水平線である。
【００６６】
外側部分Ｅ２の横断面形状は、図１４に示すように、内周面Ｅ２ａ及び外周面Ｅ２ｂとも略円弧状をし、径方向の肉厚が略一定である。円弧は、原点Ｏを中心とし、内周面Ｅ２ａの半径が原点Ｏと交点Ｆ１との長さであり、外周面Ｅ２ｂの半径が原点Ｏと交点Ｆ２との長さである。
内側部分Ｅ１の横断面形状において内周面Ｅ１ａの形状は、図１４に示すように、全体形状としては垂直線の延伸する方向に細長い形状をしている。内周面Ｅ１ａは垂直線を長軸とし、水平線を短軸とする楕円孤に近い類似楕円孤形状をしている。内周面Ｅ１ａと垂直線との交点Ｆ１は、外側部分Ｅ２における内周面Ｅ２ａと垂直線との交点と一致する。
【００６７】
内側部分Ｅ１の横断面形状において外周面Ｅ１ｂの形状は、図１４に示すように、全体形状としては水平線と平行な方向に細長い形状をしている。具体的には、外側部分Ｅ２の外周面Ｅ２ｂと垂直線との交点Ｆ２から水平線と平行な方向に延伸した後、円弧状に水平線に近づく形状をしている。つまり、水平方向に延伸する直線に近い線分１８３ａと円弧１８３ｂとの組み合わせた形状をしている。
（２）中央部での光出射状態特性
図１５は、中央部での光出射状態を示す図である。
【００６８】
ここでの中央部Ｄ１は、図１３におけるＸ１−Ｘ１線が存在している部分である。また、図１５のレンズは、図７に対応したものである。このため、図１５中の点Ｏが図１４の水平線と垂直線との交点（原点Ｏ）に相当し、図１５で示すように、レンズの後面（器具本体３と接する面）から前方に少しずれている。
中央部Ｄ１での横断面において、ＳＭＤ６３（図中の「Ｏ」である。）から外側部分Ｅ２に向けて出射された光は、内周面Ｅ２ａと外周面Ｅ２ｂとが原点Ｏを中心する円弧状をしている。このため、そのまま外側部分Ｅ２を通過して出射される。内側部分Ｅ１では、ＳＭＤ６３から内側部分Ｅ１に向けて出射された光は、内周面Ｅ１ａと外周面Ｅ１ｂで水平線側に屈折されて出射される。
【００６９】
図１６は、ＳＭＤから同じ方向に出射された光の光路を説明する図である。
なお、図１６のレンズは、図１５と同様に、図７に対応したものである。このため、図１６中の点Ｏが図１４の水平線と垂直線との交点（原点Ｏ）に相当する。
図１６では、内側部分Ｅ１と外側部分Ｅ２とで、ＳＭＤ６３から出射された光の光路の違いを示すために、内側部分Ｅ１と外側部分Ｅ２とを重ねて現わし、外側部分Ｅ２の外周面Ｅ２ｂ及び内周面Ｅ２ａ並びに外側部分Ｅ２を通過する光１８３を破線で示す。
【００７０】
図中の「Ｏ」は、ＳＭＤ６３の上面中央を示し、図１５と同様に、垂直線とレンズ６９の後面のとの交点から少し垂直線上（レンズ６９の中央側）にずれている。また、ＳＭＤ６３から出射された光と、光が通過する光路とを同じ符号「１８３」、「１８４」で示している。
外側部分Ｅ２では、内周面Ｅ２ａ及び外周面Ｅ２ｂは、上述したように、原点Ｏを中心とする略円弧状をしている。このため、原点Ｏから出射された光１８３は、破線で示すように、そのまま直進する。
【００７１】
内側部分Ｅ１では、原点Ｏから出射された光１８４は、実線で示すように、内周面Ｅ１ａに入射する際に、破線で示した外側部分Ｅ２の光路１８３に対して水平線（レンズ６９の後面）に近づくように屈折する。
その後、レンズ６９の内側部分Ｅ１の内部を外周面Ｅ１ｂまで直進する。外周面Ｅ１ｂにおける光１８４が到達する部分は円弧状をしているが、内部を直進してきた光１８４は、外周面Ｅ１ｂの円弧状をしている部分の中心上を通過していない。このため、外周面Ｅ１ｂから出射する際に、内側部分Ｅ1の内部を直進してきた光路（一点鎖線で記載している）１８４ａに対して水平線（レンズ６９の後面）に近づくように屈折する。
【００７２】
このように、内側部分Ｅ１に向けてＳＭＤ６３から出射された光１８４は、外側部分Ｅ２から出射される光１８３よりも、水平線（レンズ６９の後面）に近づくように屈曲した状態でレンズ６９から出射されることとなる。
（３）端部の形状
図１７は、レンズの断面形状を説明する図である。
【００７３】
図１７の（ａ）は図１３のＸ２−Ｏ１線断面、Ｘ３−Ｏ１線断面、Ｘ４−Ｏ１線断面のそれぞれを矢印方向から見た図であり、（ｂ）は図１３のＸ５−Ｏ１線断面を矢印方向から見た図であり、（ｃ）は図１３のＸ６−Ｏ１線断面を矢印方向から見た図であり、（ｄ）は図１３のＸ７−Ｏ１線断面を矢印方向から見た図である。
各図における断面は、図１３に示すように、中央部Ｄ１と端部Ｄ２との境界における横断面であって器具本体３の前面と直交し、仮想円環状線と交差する仮想線を基準軸Ｏ１とし、この基準軸Ｏ１を含む仮想面（基準軸と同一平面にある面である。）での断面である。なお、基準軸Ｏ１は、内側照射モジュール１７における副機能部８に近い位置に実装されているＳＭＤ６３の中心を通る。
【００７４】
端部Ｄ２における内側部分Ｅ１は、レンズ６９を前方から見ると、図１３に示すように、外周形状が全体として円弧に近い形状をしている。基準軸Ｏ１を含む面で端部Ｄ２の内側部分Ｅ１を切断したときの断面形状は、図１３に示す、Ｘ３―Ｏ１線の断面やＸ４−Ｏ１線の断面を矢印方向から見た断面形状と同じであり、図１７の（ａ）に示すように、境界における横断面の形状と一致するように構成されている。
【００７５】
つまり、端部Ｄ２の内側部分Ｅ１は、基準軸Ｏ１を回転軸として、境界での内側部分Ｅ１の断面形状を、境界から仮想円環状線１８１と交差する位置まで回転させて形成される形状をしている。なお、ここでの内側部分Ｅ１における基準軸Ｏ１廻りの境界位置から仮想円環状線までの領域が、光屈折部分の一例に相当する。
端部Ｄ２における外側部分Ｅ２は、レンズ６９を前方から見ると、図１３に示すように、外周形状が仮想円環状線を長軸とする楕円形状に近い類似楕円弧状をしている。
【００７６】
基準軸Ｏ１を含む面で端部Ｄ２における外側部分Ｅ２を切断したときの断面形状は、基準軸Ｏ１を回転軸として回転させたときに、境界から仮想円環状線１８１に近づくに従って、図１７の（ｂ）、（ｃ）、（ｄ）に示すように、内側部分Ｅ１の横断面形状に近づくように構成されている。
（４）端部での光出射状態特性
図１８は、端部での光出射状態を示す図である。
【００７７】
図１８の（ａ）は図１３のＸ２−Ｏ１線断面、Ｘ３−Ｏ１線断面、Ｘ４−Ｏ１線断面での光出射状態を示す図であり、（ｂ）は図１３のＸ５−Ｏ１線断面での光出射状態を示す図であり、（ｃ）は図１３のＸ６−Ｏ１線断面での光出射状態を示す図であり、（ｄ）は図１３のＸ７−Ｏ１線断面での光出射状態を示す図である。
なお、図１８のレンズは、図７に対応したものである。このため、図１８中の点Ｏが図１４の水平線と垂直線との交点（原点Ｏ）に相当し、図１８で示すように、レンズの後面（器具本体３と接する面）から前方に少しずれている。
【００７８】
レンズ６９の端部Ｄ２において、内側部分Ｅ１では、図１３に示すように、図１８の（ａ）で示すように、ＳＭＤ６３（図中の「Ｏ」である、）から出射された光が水平線（レンズ６９の後面）に近づくように屈折されて出射される。これにより、副機能部８側へと光が屈折され、カバー９を見た場合に、副機能部８に対応する部分が暗くなるのを防止できる。
【００７９】
外側部分Ｅ２では、図１３に示すように、基準軸Ｏ１を回転軸として回転させたとき、図１８の（ｂ）〜（ｄ）に示すように、境界（Ｘ７−Ｏ１線）から仮想円環状線１８１（Ｘ４−Ｏ１線）に近づくに従って、ＳＭＤ６３から出射された光が徐々に水平線（レンズ６９の後面）に近づくように屈折率が大きくなりながら出射される。これにより、レンズ６９の端部Ｄ２における外側部分Ｅ２の輝度ムラを少なくすることができる。
＜変形例＞
１．照明装置
実施形態に係る照明装置１は、前面から見ると、円形状をしていたが、他の形状をしていてもよい。他の形状としては、例えば、正方形状、長方形状、長円形状等がある。
【００８０】
また、照明装置１から出射される光の量（光束）について説明しなかったが、蛍光灯を利用した現行の照明装置と同程度の光束を発するものであってもよいし、現行の照明装置と異なる光束を発するようにしてもよい。
また、実施形態に係る照明装置１は、現行の照明装置を装着するのに利用されている引掛シーリングに装着でき、当該引掛シーリングを介して受電しているが、現行の引掛シーリングとは別に、専用の装着具に装着するような照明装置であってもよい。この場合でも、専用の装着具に照明装置（実際にはカバーが取り外された装置である。）を装着する際に、設置面（例えば、天井等である。）装着具の位置を把握するための貫通口が必要である。換言すると、本発明に係る照明装置は、装置を設置する際に、引掛シーリング等の設置側の装着具の位置を把握する必要があり、この位置確認のために貫通口を器具本体に有している照明装置であればよい。
２．照射部
（１）形状
実施形態に係る照射部５，７は仮想環状線に沿う形状をし、仮想環状線の例として円環状をしていたが、他の形状であってもよい。他の形状としては、正方形、長方形状及び多角形状並びに楕円形状及び長円形状等の環状であってもよい。
【００８１】
また、実施形態に係る照射部５を前方から見た外周形状は、照明装置１を前方から見た外観形状の一部と一致する。また、照射部７を前方から見た外周形状は、照明装置１を前方から見た外周形状と略同じである。つまり、照明装置１の外周形状は円形状であり、照射部５，７の外周形状がＣ字状や円形状であり、互いに似た形状をしている。しかしながら、照射部の外周形状は、照明装置の外観（外周）形状に依存する必要はない。例えば、照射部の外周形状が円形状で、照明装置の外周形状が正方形状や長方形状であってもよい。
【００８２】
また、実施形態に係る照射部５，７は２つあり、照射部５の外周形状と照射部７の外周形状とが一部で一致している。つまり、内側照射部５の外周形状は円の一部を欠いたＣ字形状であり、外側照射部７の外周形状は円形状であり、円弧状をしている部分で互いに一致している。しかしながら、複数の照射部の形状は互いに一致する部分を有していなくてもよい。例えば、内側照射部の外周形状が正方形状の一部を欠いた形状で、外側照射部の外周形状が円形状であってもよい。この場合、内側照射部は仮想四角環状線に沿って配され、外側照射部が仮想円環状線に沿って配される。
（２）個数
実施形態に係る照射部５，７は、内側照射部５と外側照射部７との２個により構成されていたが、照射部は、１個であってもよい。さらに、照射部は、３個以上であってもよく、各照射部の外周形状や照明装置の外周形状は特に限定される必要はない。
（３）ＬＥＤ（半導体発光素子）
実施形態では、ＳＭＤタイプ（形態）のＬＥＤを利用しているが、他のタイプのＬＥＤを利用してもよい。他のタイプとしては、例えば、ベアチップタイプやＣＯＢ（Ｃｈｉｐ  Ｏｎ  Ｂｏａｒｄ）タイプ等がある。また、実施形態では、ＳＭＤが一列で配されていたが、複数列（例えば、２列である。）で配されていてもよい。さらに、千鳥状に配されていてもよい。
【００８３】
また、半導体発光素子として、実施形態ではＬＥＤを利用したが、例えば、ＬＤ（レーザダイオード）であってもよいし、これらとの組み合わせでもよい。
３．内側照射部（主機能部）
（１）全体
実施形態に係る内側照射部５は、仮想円環状線上の１つの領域に実装された複数のＳＭＤ６３と、複数のＳＭＤ６３を覆うレンズ６９を有する内側光学部材１９とを備える。
【００８４】
しかしながら、複数のＳＭＤは、仮想環状線上の複数の領域に分けて実装され、領域単位でＳＭＤを覆うレンズを複数設けてもよい。つまり、複数の内側照射部が存在してもよい。
以下、２つの領域に複数のＳＭＤが分けて実装され、各領域に対してレンズが設けられた例を変形例１，２として説明する。
【００８５】
図１９は、変形例１に係る内側照射部周辺の平面図であり、図２０は変形例２に係る内側照射部周辺の平面図である。
変形例１に係る内側照射部２０１，２０３は、図１９に示すように、器具本体２０５の前面であって中央の貫通口２０７の周辺の２つの領域に配されている。内側照射部２０１，２０３は、基板上の仮想環状線（ここでは、円環状をしている。）２０９上の２つの領域に設けられている。
【００８６】
各内側照射部２０１，２０３は、各領域に対応した円弧状の基板にＳＭＤが複数実装されてなる内側照射モジュール（図示省略）と、内側照射モジュールの複数のＳＭＤを少なくとも覆うレンズ２１１，２１３とを備える。
２つのレンズ２１１，２１３は、１つの光学部材２１５として設けられている。光学部材２１５は、平板状であって円環状をした平坦部２１７と、内側照射モジュールの複数のＳＭＤに対応した領域が隆起してなるレンズ２１１，２１３とを備える。
【００８７】
光学部材２１５の平坦部２１７は、仮想環状線２０９であって２つの内側照射部２０１，２０３の間に貫通窓２１９，２２１を有している。貫通窓２１９，２２１には、リモコンからの信号を受信する受信部、設定ボタン等を有する副機能部が配される（図示省略）。
変形例２に係る内側照射部２５１，２５３は、図２０に示すように、器具本体２５５の前面であって中央の貫通口２５７の周辺の２つの領域に独立して配されている。内側照射部２５１，２５３は、基板上の仮想環状線（ここでは、円環状をしている。）２５９上の２つの領域に設けられている。
【００８８】
各内側照射部２５１，２５３は、各領域に対応した円弧状の基板にＳＭＤが複数実装されてなる内側照射モジュール（図示省略）と、内側照射モジュールの複数のＳＭＤを少なくとも覆うレンズ２６１，２６３とを備える。
器具本体２５５は、仮想環状線２５９上であって２つの副照射部２５１，２５３の間に貫通窓２６９，２７１を有している。貫通窓２６９，２７１には、変形例１と同様に、副機能部が配される（図示省略）。
（２）内側照射モジュール
内側照射モジュールは、前方から見た場合、「Ｃ」字状をした基板６１上であって仮想円環状線を周方向に等間隔をおいてＳＭＤ６３が実装されていた。しかしながら、ＳＭＤは等間隔で実装されなくてもよい。
【００８９】
例えば、レンズの中央部ではＳＭＤを等間隔で実装し、端部周辺では、中央部から端部に近づくに従って、ＳＭＤの実装ピッチを狭めてもよい。この場合、副機能部側へと屈折される光の量を増やすことができ、カバーにおいて副機能部に対応する部分とその周辺部分との輝度ムラを低減させることができる。
なお、ここでは、ＳＭＤの実装について説明したが、ＳＭＤ以外のＬＥＤ等の半導体発光素子であっても同様である。
（３）内側光学部材
実施形態の内側光学部材１９は、平坦部６８とレンズ６９とを有している。これは、レンズ６９を器具本体３に装着するために、平坦部６８の内側部分７７及び外側部分７９に器具本体３への装着用の貫通孔８１を設けるためである。
【００９０】
従って、内側光学部材は、例えば、器具本体へ装着するための貫通孔８１に対応した部分にだけレンズに張出部（平坦部に相当する）を設けてもよい。
また、上記の平坦部は、例えば、レンズの底面を器具本体の前面に接着剤で固定するような場合、不要となる。この場合、内側光学部材はレンズのみを有し、内側光学部材とレンズとが同じものとなる。
（４）レンズ
（４−１）光屈折部分の形状
実施形態では、光屈折部分は、レンズ６９の端部Ｄ２の内側部分Ｅ１に形成されており、図１７の（ａ）に示すように、内周面Ｅ１ａの形状が垂直線を長軸とする半類似楕円形状をし、外周面Ｅ１ｂの形状が水平線を長軸とする長円（類似楕円）の４分１の形状をしている。
【００９１】
しかしながら、光屈折部分は、実施形態で説明した副機能部８側へとＳＭＤ（ＬＥＤ）の光を屈折できればよく、他の形状であってもよい。
光屈折部分の内周面の形状は、水平線上の第１の点と垂直線上の点であって第１の点よりも原点から離れた第２の点とを直線的又は楕円孤（類似楕円孤を含む。）的に結ぶ仮想線の少なくとも一部を有していればよい。この内周面形状を、内周面の特徴的形状とする。
【００９２】
光屈折部分の外周面の形状は、水平線上の第３の点と垂直線上の点であって第３の点よりも原点に近い第４の点とを直線的又は楕円孤（類似楕円孤を含む。）的に結ぶ仮想線の少なくとも一部を有していればよい。この外周面形状を、外周面の特徴的形状とする。
図２１は、変形例３〜５に係るレンズの内側部分の横断面図である。
なお、図２１では、基準軸が垂直線に相当する。
【００９３】
変形例３に係るレンズ３０１の光屈折部分３０３は、図２１の（ａ）に示すように、基準軸を含む仮想面での横断面において、水平線上の第１の点（Ａ１）と垂直軸上の点であって第１の点（Ａ１）よりも原点Ｏ１から離れた第２の点（Ａ２）とを結ぶ１本の仮想直線３０５と一致する形状の内周面（３０５）と、水平線上の第３の点（Ｂ１）と垂直線上の点であって第３の点（Ｂ１）よりも原点Ｏ１に近い第４の点（Ｂ２）とを結ぶ仮想線３１１の一部と一致する形状の外周面（３１１）を有している。ここで、仮想線３１１は、２本の直線３０７，３０９を結合してなる。
【００９４】
変形例４に係るレンズ３２１の光屈折部分３２３は、図２１の（ｂ）に示すように、基準軸を含む仮想面での横断面において、水平線上の第１の点（Ａ３）と垂直線上の点であって第１の点（Ａ３）よりも原点Ｏ１から離れた第２の点（Ａ４）とを結ぶ仮想線分３２９と一致する形状の内周面（３２９）と、水平線上の第３の点（Ｂ３）と垂直線上の点であって第３の点（Ｂ３）よりも原点Ｏ１に近い第４の点（Ｂ４）とを結ぶ仮想線分３３５の一部と一致する形状の外周面（３３５）とを有する。ここで、仮想線分３２９は、直線３２５と曲線（円弧）３２７とを結合してなり、仮想線分３３５は、直線３３１と曲線（円弧）３３３とを結合してなる。
【００９５】
変形例５に係るレンズ３４１の光屈折部分３４３は、図２１の（ｃ）に示すように、基準軸を含む仮想面での横断面において、水平線上の第１の点（Ａ５）と垂直線上の点であって第１の点（Ａ５）よりも原点Ｏ１から離れた第２の点（Ａ６）とを結ぶ楕円孤（類似楕円孤を含む。）状の仮想線分３４５と一致する形状の内周面（３４５）と、水平線上の第３の点（Ｂ５）と垂直線上の点であって第３の点（Ｂ５）よりも原点Ｏ１に近い第４の点（Ｂ６）とを結ぶ仮想線分３５１と一致する形状の外周面（３５１）とを有している。ここで、仮想線分３５１は、２本の直線３４７，３４９を結合してなる。なお、変形例５では、光学部材はレンズ３４１のみから構成されている。
【００９６】
実施形態では、光屈曲部分は、基準軸の周りに回転させたときの基準軸を含む仮想面の断面形状は同じであったが、回転に伴い、内周面及び外周面の少なくとも一方の面形状が変化してもよい。
具体的に説明すると、例えば、実施形態において、図１３におけるＸ３−Ｏ１線での断面形状と、Ｘ４−Ｏ１線での断面形状とが同じであるが、Ｘ３−Ｏ１線での断面形状と、Ｘ４−Ｏ１線での断面形状とが異なるようにしてもよい。
【００９７】
但し、変化しても、光屈折部分の内周面の形状は内周面の特徴的形状を有する必要があり、外周面の形状は外周面の特徴的形状を有する必要がある。
（４−２）光屈折部分の領域
図２２は、光屈折部分の形成領域を説明する図である。
図中の点２ｃは仮想環状線４０５と副機能部の端との交点であり、線分２Ｃは基準軸２Ｏと点２ｃとを通る直線である。線分２Ａは基準軸２Ｏと点２ａとを通る直線であり、線分２Ｂは基準軸２Ｏと点２ｂとを通る直線である。
【００９８】
点２ａは、副機能部４０７上の点であって仮想環状線４０５よりも内側領域に存在する点であり、線分２Ａと線分２Ｃとの間の角度２Ｃ１が最大となる点である。点２ｂは、副機能部４０７上の点であって仮想環状線４０５よりも外側領域に存在する点であり、線分２Ｂと線分２Ｃとの間の角度２Ｃ２が最大となる点である。
光屈折部分は、副機能部４０７側に光を屈折させる機能を有している。この観点から言えば、図２２に示す、レンズ４０１の端部４０３のハッチングを付した領域に存在すればよい。ハッチングは、線分２Ａと線分２Ｂとの間の領域に施されている。
【００９９】
しかしながら、実施形態では、内側照射部５の外周側に外側照射部７が存在している。このような場合、外側照射部７からの光により、副機能部４０７における仮想環状線４０５の外側部分の前方に位置するカバーの部分も照射される。これにより、カバーにおける副機能部に対応する部分であってその外側部分が際立って暗くなるようなことない。
従って、実施形態では、少なくともレンズ６９の端部Ｄ２において、図２２に示す、線分２Ａと線分２Ｃとの間の全領域に光屈曲部分を有していればよい。なお、実施形態では、内側部分Ｅ１の端部Ｄ２の全ての領域が光屈折部分と同じ断面形状を有している。
（４−３）レンズ外側部分の形状
実施形態におけるレンズ６９の中央部Ｄ１の外側部分Ｅ２は、横断面において、内周面及び外周面の形状が同心円にある円弧状をしていたが、他の形状、例えば、楕円孤状であってもよいし、複数の直線を結んだような形状であってもよい。さらには、内側部分と同じ形状をしていてもよい。
（４−４）レンズ内側部分の形状
実施形態におけるレンズ６９の内側部分Ｅ１は、中央部Ｄ１の横断面形状と、端部Ｄ２における基準軸Ｏを含んだ仮想面での断面形状とが一致している。これは、実施形態では、内側照射部５から貫通口１５側へとＳＭＤ６３からの光を屈折させる必要があったためである。
【０１００】
従って、仮想環状線に沿って配されている内側照射部の内側に光を屈曲させる必要がない場合、レンズの中央部の内側部分の横断面形状を中央部の外側部分の横断面形状のようにしてもよい。
４．外側照射部
実施形態に係る外側照射部７は、外側光学部材２５として導光板を利用している。これは、導光板を利用することで、前方への光の出射が均一化され、装置前面の略全領域からの光の照射が可能となるためである。
【０１０１】
しかしながら、前方への光の出射を均一化させるために他の方法を利用してもよい。他の方法としては、例えば、外側照射部にＬＥＤを均斉的に配置し、ＬＥＤの主出射方向を前方に向けて配置するような方法でもよい。
５．カバー
実施形態に係るカバー９は、前方から見たときに、器具本体３の外周形状に対応させている。したがって、器具本体３の外周形状が、前方からみたときに、四角形状をしている場合は、カバーの外周形状も四角形状をする。
【０１０２】
実施形態に係るカバー９は、中央部に平坦部１６５を有している。平坦部１６５は、外周形状が円形状をしていたが、他の形状でもよい。他の形状としては、正方形、長方形状及び多角形状並びに楕円形状及び長円形状等がある。
以上、本発明に係る照明装置の構成を、実施の形態および変形例に基づいて説明したが、本発明は上記実施の形態およびその変形例に限られない。例えば、上記実施形態およびその変形例の部分的な構成を、適宜組み合わせてなる構成であってもよい。また、上記実施の形態に記載した材料、数値等は好ましいものを例示しているだけであり、それに限定されることはない。さらに、本発明の技術的思想の範囲を逸脱しない範囲で、構成に適宜変更を加えることは可能である。
【符号の説明】
【０１０３】
１      照明装置
３      器具本体
５      内側照射部（主機能部）
８      副機能部
１７      内側照射モジュール
１９      内側光学部材
６３      ＳＭＤ（半導体発光素子）
６９      レンズ
１８１      仮想円環状線
３０１      レンズ
３０３      光屈折部分
３０５      内面
３０１      外面
Ａ１      第１の点
Ａ２      第２の点
Ｂ１      第３の点
Ｂ２      第４の点
Ｄ１      中央部
Ｄ２      端部
Ｅ１      内側部分
Ｅ２      外側部分
Ｏ      原点
Ｏ１      基準線
【図１】
2014146560.tif 000003
【図２】
2014146560.tif 000004
【図３】
2014146560.tif 000005
【図４】
2014146560.tif 000006
【図５】
2014146560.tif 000007
【図６】
2014146560.tif 000008
【図７】
2014146560.tif 000009
【図８】
2014146560.tif 000010
【図９】
2014146560.tif 000011
【図１０】
2014146560.tif 000012
【図１１】
2014146560.tif 000013
【図１２】
2014146560.tif 000014
【図１３】
2014146560.tif 000015
【図１４】
2014146560.tif 000016
【図１５】
2014146560.tif 000017
【図１６】
2014146560.tif 000018
【図１７】
2014146560.tif 000019
【図１８】
2014146560.tif 000020
【図１９】
2014146560.tif 000021
【図２０】
2014146560.tif 000022
【図２１】
2014146560.tif 000023
【図２２】
2014146560.tif 000024